(57)【要約】【課題】大型設置物を容易かつすっきりと一体的に設置でき、質感が高く部屋のトータルインテリアデザインを向上させることができるとともに、既存の部屋に後付けできる頑丈な壁面家具を提供する。【解決手段】正面視逆凹形状に構成された逆凹状キャビネット２と、逆凹状キャビネット２の中央部から下部に亘る貫通切欠部20に全体が嵌装され、内側領域が薄型大画面テレビ等の設置空間10を構成する、前方と下方が開口した補強フード５とを備え、補強フード５は、左右の側板51L,51Rと、天板52と、前記左右の側板51L,51Rそれぞれの後端部の下部間に架設した長尺補強板53と、背面遮蔽板54とを備える、薄型大画面テレビ等を設置するための壁面家具11とした。【選択図】図１
2008023229.tif 000002
【特許請求の範囲】
【請求項１】
正面視逆凹形状に構成された逆凹状キャビネットと、
該逆凹状キャビネットの中央部から下部に亘る貫通切欠部に全体が嵌装され、内側領域が大型設置物の設置空間を構成する前方と下方が開口した補強フードとを備え、
該補強フードは、左右の側板と、天板と、前記左右の側板それぞれの後端部の下部間に架設した長尺補強板と、背面遮蔽板とを備える、
大型設置物を設置するための壁面家具。
【請求項２】
大型設置物は薄型大画面テレビである請求項１記載の壁面家具。
【請求項３】
逆凹状キャビネットは、左右の背高キャビネットの上部間に架設キャビネットを架け渡し状態で設けてなり、逆凹状キャビネットの側方空間と大型設置物の設置空間とを連通する貫通配線連孔を、逆凹状キャビネットと補強フードの側板とを左右方向に貫くように設けた請求項１又は請求項２記載の壁面家具。
【請求項４】
左右の背高キャビネットそれぞれに、スピーカーボックスを投入載置するためのスピーカー載置空間を設けた請求項３記載の壁面家具。
【請求項５】
逆凹状キャビネットの側方に、目隠し化粧側板を面一状態に延設した請求項３又は請求項４記載の壁面家具。
【請求項６】
逆凹状キャビネットの上方に、目隠し化粧上板を面一状態に延設してなり、前記目隠し化粧上板は、壁面家具が取付けられる空間の天井面と逆凹状キャビネットの上面との隙間空間を正面視から隠すような形状および大きさである請求項１〜５のいずれか記載の壁面家具。
【請求項７】
架設キャビネットには、巻着ケース内に巻着されたスクリーンが、前記巻着ケースごと収納され、収納されたスクリーンを前記巻着ケースごと架設キャビネットの前方にスライド移動させる左右のスライドレールを備え、架設キャビネットの前方にスライド移動したスクリーンを、前記巻着ケース内から巻き出すことで、壁面家具の前方に垂下自在に構成した請求項１〜６のいずれか記載の壁面家具。
【請求項８】
大型設置物の設置空間の幅よりも若干狭い幅の背低移動台を備えた請求項１〜７のいずれか記載の壁面家具。
【請求項９】
正面視逆凹形状に構成されて中央部から下部に亘る開口部を備えており、前記開口部に大型設置物が設置される壁面家具。
【発明の詳細な説明】
【技術分野】
【０００１】
本発明は、室内の壁面に隣接して取付けられる壁面家具に関し、詳しくは薄型大画面テレビや熱帯魚水槽などをすっきりと設置するための壁面家具に関する。
【背景技術】
【０００２】
近年、限られた室内空間を有効に活用して、多くの物を収納することができる壁面家具が広く採択されるようになった。このような壁面家具は、例えば下記特許文献１や特許文献２に開示されている。
【０００３】
【特許文献１】特開２００５−３３６９３３号公報
【特許文献２】実公平３−２３９３９号公報
【発明の開示】
【発明が解決しようとする課題】
【０００４】
一方、プラズマテレビや液晶テレビ等の薄型大画面テレビが急速に普及している。また、大型の水槽で熱帯魚を飼育・鑑賞するのを趣味としている人も多い。これらは、単にテレビを見るとか熱帯魚を飼うといった行為だけに止まらず、対象物である薄型大画面テレビや熱帯魚水槽それ自身を部屋のインテリアとして楽しむといった側面が強くなってきており、そのようなニーズに応えるべく、これらを提供するメーカーは機能だけでなくデザイン面にも注力している。
【０００５】
しかし、薄型大画面テレビや熱帯魚水槽に代表される大型設置物は、設置場所をとり、また、設置する部屋とのマッチング等の問題で、ともすれば部屋全体の雰囲気を崩してしまうことがあった。薄型大画面テレビや熱帯魚水槽等の大型設置物をすっきりと一体的に設置でき、かつ部屋のトータルインテリアデザインを向上させることができる質感の高い壁面家具が望まれていた。
【０００６】
また、これらの大型設置物は一般的に重たいため、移動させるのに苦労することが多く、壁面家具にも、大型設置物を設置しやすい工夫が欲しいところである。さらに、薄型大画面テレビ等の大型設置物は高価で貴重なことが多く、これを設置する壁面家具には、丈夫で、地震等によって引き起こされる振動に強いことも要求される。大型設置物でも設置しやすく、かつ頑丈な壁面家具も望まれていた。
【０００７】
これらのニーズに加えて、大掛かりな工事等が不要で、既存の部屋に後付けできる壁面家具も望まれていた。
【０００８】
本発明は、これらの上記課題を解決するものであり、大型設置物を容易かつすっきりと一体的に設置でき、質感が高く部屋のトータルインテリアデザインを向上させることができるとともに、既存の部屋に後付けできる頑丈な壁面家具を提供するものである。
【課題を解決するための手段】
【０００９】
上記課題を解決するために本発明の壁面家具は、正面視逆凹形状に構成された逆凹状キャビネットと、逆凹状キャビネットの中央部から下部に亘る貫通切欠部に全体が嵌装され、内側領域が大型設置物の設置空間を構成する前方と下方が開口した補強フードとを備え、補強フードは、左右の側板と、天板と、左右の側板それぞれの後端部の下部間に架設した長尺補強板と、背面遮蔽板とを備える、大型設置物を設置するための壁面家具とした。
【００１０】
前記課題を解決するべく出願人は鋭意研究開発を重ねた。その結果、逆凹状キャビネットの貫通切欠部に、大型設置物の設置空間を構成する前方と下方が開口した補強フード全体を嵌装するという技術的思想に至ったのである。
【００１１】
逆凹状キャビネットの貫通切欠部に補強フード全体が嵌装されていることで、壁面家具の前面を凹凸の少ない面一状態とすることができる。また、大型設置物は逆凹状キャビネットの貫通切欠部に嵌装された補強フードの内側領域、すなわち壁面家具の前面から奥まった空間に収納されるため、壁面家具と大型設置物の一体性が高まる。さらに、補強フードが背面遮蔽板を備えることで、大型設置物の設置空間から壁面が目隠しされ、大型設置物を鑑賞等する際に壁面が視界に入らなくなる。これらによって、大型設置物を壁面家具と一体融合的に設置でき、インテリアデザインを向上させることができる質感の高い壁面家具となる。
【００１２】
また、逆凹状キャビネットと補強フードを組み合わせた構成であるため、大掛かりな設置工事等が不要であり、既存の部屋に後付けすることが容易である。さらに、補強フードの前方が開口しているため、前方が開口した設置空間となり、ここから大型設置物を投入設置することができる。加えて、補強フードの下方が開口していることで、設置空間は、壁面家具を取付ける部屋の床面上に構成されることとなり、居住空間と設置空間との間に段差等が生じない。これにより、大型設置物を設置空間に容易に投入設置することができる。さらに加えて、逆凹状キャビネットの貫通切欠部に補強フードが嵌装されていることで、大型設置物の設置空間を備えながらも、丈夫で頑丈な壁面家具とすることができる。補強フードが、左右の側板それぞれの後端部の下部間に架設した長尺補強板を備えることで、補強フードの強度が増す。特に、大型設置物を長時間設置すると、その重量等のため、窪んだ弓なり状に床面が変形し、逆凹状キャビネットの自重やキャビネットに収容した収容物の重量によって、貫通切欠部に対して正面視台形状（下底幅が上底幅よりも広い台形状）に変形するような力が加わることになる。本発明では、補強フードが貫通切欠部に嵌装されていることで、このような外力を受けても大型設置物の設置空間が変形しにくくなり、長期間の設置においても高級感や質感を損ないにくい頑丈な壁面家具となる。
【００１３】
このとき、大型設置物は薄型大画面テレビである壁面家具とすることができる。プラズマテレビや液晶テレビ等の薄型大画面テレビは、薄型でかつ平面状の画面を備え、本発明の壁面家具に対し、より一体融合的に設置できる。また、壁面家具の前面から奥まった位置にテレビ画面が位置するように設置でき、部屋の様子等が画面に映り込む、いわゆる映り込み現象を低減できる。なお、大画面テレビとは、一般的に、29インチ以上の画面を有するテレビをいう。
【００１４】
逆凹状キャビネットは、左右の背高キャビネットの上に架設キャビネットを架け渡し状態で設けてなり、逆凹状キャビネットの側方空間と大型設置物の設置空間とを連通する貫通配線連孔を、逆凹状キャビネットと補強フードの側板とを左右方向に貫くように設けた壁面家具とすることもできる。左右の背高キャビネット及び架設キャビネットは、前面に開口部又は開口自在部を備えている。
【００１５】
逆凹状キャビネットは、左右の背高キャビネットと架設キャビネットで構成されることから、分割状態にすれば搬入の際にかさばらず、搬入取付け作業が容易になる。また、種々の寸法の背高キャビネット及び架設キャビネットを予め用意しておくことで、取付け部屋の寸法に応じて、種々のサイズの逆凹状キャビネットを迅速に提供することができる。
【００１６】
一方、薄型大画面テレビ等のアンテナケーブルや各種電源コード等の配線ケーブルを引き回すために、逆凹状キャビネットの背面板や補強フードの背面遮蔽板に、孔部を設けることが考えられる。すなわち、この孔部から配線ケーブルを壁面家具の背後に引出し、壁面家具と壁面との隙間に配線ケーブルを這わすのである。しかし、これでは、壁面家具の取付け後に、薄型大画面テレビ等を設置・配線することが困難である。また、設置・配線後のメンテナンスもしにくい。さらに、壁面に密着させた状態で壁面家具を取付けできない。そこで、逆凹状キャビネットの側方空間と薄型大画面テレビの設置空間とを連通する貫通配線連孔を、逆凹状キャビネットと補強フードの側板とを左右方向に貫くように設けたのである。これによって、電源コードやアンテナケーブル等の配線ケーブルを、背高キャビネット前面の開口部等から目視確認しながら、貫通配線連孔を通して引き回すことができ、配線作業やメンテナンスが容易になる。また、壁面に密着させた状態で壁面家具を取付けることもできる。
【００１７】
このとき、左右の背高キャビネットそれぞれに、スピーカーボックスを投入載置するためのスピーカー載置空間を設けた壁面家具とすることが好ましい。前述した貫通配線連孔の存在により、スピーカーケーブルの配線作業も容易である。
【００１８】
逆凹状キャビネットの側方に、目隠し化粧側板を面一状態に延設した壁面家具とすることも好ましい。逆凹状キャビネットの側面側では、貫通配線連孔から外側に出た配線ケーブルが目障りとなる。この部分を隠すため、逆凹状キャビネットの側方に目隠し化粧側板を面一状態に延設するのである。これにより、壁面家具側方の配線ケーブルを正面視から隠すことができ、インテリアデザインをより向上させることができる。
【００１９】
逆凹状キャビネットの上方に、目隠し化粧上板を面一状態に延設してなり、目隠し化粧上板は、壁面家具が取付けられる空間の天井面と逆凹状キャビネットの上面との隙間空間を正面視から隠すような形状および大きさである壁面家具とすることも好ましい。これにより、天井面から床面に亘る壁面家具となり、インテリアデザインをより向上させることができる。また、壁面家具の転倒防止のため、壁面家具の上面と天井面の間に突っ張り棒を設けた場合であっても、正面視から隠すことができ、インテリアデザインをより一層向上させることができる。
【００２０】
架設キャビネットには、巻着ケース内に巻着されたスクリーンが、巻着ケースごと収納され、収納されたスクリーンを巻着ケースごと架設キャビネットの前方にスライド移動させる左右のスライドレールを備え、架設キャビネットの前方にスライド移動したスクリーンを、巻着ケース内から巻き出すことで、壁面家具の前方に垂下自在に構成した壁面家具とすることも好ましい。壁面家具の前方に垂下したスクリーンに液晶プロジェクタ等でビデオ画像等を投影することで、迫力ある画面を大人数で楽しむことができる。
【００２１】
大型設置物の設置空間の幅よりも若干狭い幅の背低移動台を備えた壁面家具とすることも好ましい。背低の薄型大画面テレビや熱帯魚水槽は背低移動台に載置して、この移動台ごと設置空間に投入設置することで人間の目線に近付けることができる。
【発明の効果】
【００２２】
本発明により、大型設置物を容易かつ一体的に設置でき、質感が高く部屋のトータルインテリアデザインを向上させることができるとともに、既存の部屋に後付けできる頑丈な壁面家具を提供することができる。
【発明を実施するための最良の形態】
【００２３】
以下、図を用いて、本発明の実施形態を例示説明する。図１〜図４は本発明の第一実施形態の壁面家具を説明するための図であり、図５〜図７は同第二実施形態の壁面家具を説明するための図である。また、図８は同第三実施形態の壁面家具を説明するための図である。なお、図４、図５、図７、図８において、各壁面家具を取付けた部屋の形状は、その一部のみ（壁面家具の付近部分のみ）を二点鎖線で示してある。まず、図１〜図４を用いて、第一実施形態について例示説明する。
【００２４】
［第一実施形態］
図１は、第一実施形態の壁面家具11を示す一部分解斜視図であり、図２は同壁面家具11を示す斜視図であり、図３は図１における逆凹状キャビネット２の分解斜視図である。また、図４は図２の壁面家具11を壁面15に取付けて薄型大画面テレビ９等を設置した状態を示す斜視図である。なお、図１と図２において、左右対称の背高キャビネット3L,3Rのうち、左側（手前側）の背高キャビネット3Lについては、説明の都合上、扉板35を取り払った状態を図示してある。本実施形態の壁面家具11は、逆凹状キャビネット２と補強フード５とを備えるものである。
【００２５】
逆凹状キャビネット２は、図１に示すように、その中央部から下部に亘って、前後方向に貫通した貫通切欠部20を有し、これによって、正面視が逆凹形状に構成されている。そして、図３に示すように、この逆凹状キャビネット２は、左右の背高キャビネット3L,3Rと、この左右の背高キャビネット3L,3Rの上端部間に架け渡し状態で設けた架設キャビネット４を備えている。さらに、架設キャビネット４は、スクリーン収納キャビネット41と左右のボックスキャビネット42L、42Rとで構成されている。これら、左右の背高キャビネット3L,3Rとスクリーン収納キャビネット41と左右のボックスキャビネット42L、42Rとは、ねじ等の結合手段（図示せず）により、正面視逆凹形状に連結固定され、図１に示す逆凹状キャビネット２を構成する。逆凹状キャビネット２には書籍等の収容物（図示せず）を収容することができる。
【００２６】
ここで、架設キャビネット４を構成するスクリーン収納キャビネット41にはスクリーン90が巻着収納されている（図１〜図４では図示せず。図７参照）。また、左右の背高キャビネット3L,3Rには、スピーカー載置空間31L,31Rが設けられており、ここにスピーカーボックス95L,95Rが投入載置される。そして、図１及び図３に示すように、背高キャビネット3L,3Rの左右方向に貫通させて設けた配線孔30が、背高キャビネット3L,3Rの左右の側板と仕切り縦板それぞれの後下部に開けられている。
【００２７】
一方、補強フード５は、図１に示すように、左右の側板51L,51Rと、これら左右の側板51L,51Rの上端部間に架設した天板52と、前記左右の側板51L,51Rそれぞれの後端部の下部間に架設した長尺補強板53と、補強フード５の背面後方を設置空間10と遮蔽する背面遮蔽板54とを備える。補強フード５はこの構成により、前方と下方が開口した構造となっている。長尺補強板53は、強度を考慮して厚手の構造用集製材を用いたが、これに限定されない。左右の側板51L,51R、天板52、長尺補強板53および背面遮蔽板54で囲まれた補強フード５の内側領域が薄型大画面テレビ等の大型設置物の設置空間10となる。ここで、背面遮蔽板54は、例えばベニヤ製化粧板等の安価かつ軽量な材料を使用することが好ましいが、長尺補強板53と同じ材料、材厚で構成してもよい。また、補強フード５には、左右方向に貫通させて設けた配線孔50が、左右の側板51L,51Rの後下部に開けられている。
【００２８】
そして、補強フード５は、逆凹状キャビネット２の中央部から下部に亘る貫通切欠部20に嵌装されている。このとき、図２に示すように、補強フード５全体が貫通切欠部に一体的に嵌装され、補強フード５は逆凹状キャビネット２の表面と面一状態となっている。この状態で、補強フード５と逆凹状キャビネット２とは、ねじ等の結合手段（図示せず）によって連結固定されている。両者の隣接する側板における下部同士を、ねじ等の結合手段で連結しておくと、長期間の設置によって窪んだ弓なり状に床面が変形しても、設置空間10が台形状に変形しにくくなる。また、背高キャビネット3L,3Rの左右方向に貫通させて設けた配線孔30と、補強フード５の左右方向に貫通させて設けた配線孔50とが一直線上に重なり、貫通配線連孔100を構成する。
【００２９】
上記第一実施形態の壁面家具11を壁面15に取付けて薄型大画面テレビ９等を設置した状態を図４に示す。本図の例では、転倒防止のため、壁面家具11の上面と取付け部屋の天井面16との間の左右二カ所に、突っ張り棒６を設けた。天井面16と突っ張り棒６との間に、補強板材（図示せず）を挟み込んで、天井面16の変形等を防止してもよい。このとき、補強板材の長さを、左右の突っ張り棒６の設置間隔より長くして、左右の突っ張り棒６に架設したような状態で、天井面16と突っ張り棒６との間に補強板材を挟み込むことが好ましい。また、本図の例では、壁面家具11に薄型大画面テレビ９を設置し、スピーカー載置空間31L,31Rにスピーカーボックス95L,95Rを載置している。薄型大画面テレビ９やスピーカーボックス95L,95Rの配線引き回しは、貫通配線連孔100を構成する配線孔30,50（図２参照）に配線ケーブルを通して行う。配線ケーブルの引き回しが不要の場合には、配線孔30,50にキャップを被せて、これらを塞いでおけばよい。スピーカー載置空間31L,31Rの内壁面を黒色にすると配線ケーブル（通常は黒色である）が目立たない。
【００３０】
上記第一実施形態の壁面家具11では、突っ張り棒６が正面から視認され、インテリアデザインの観点からは好ましくない。これを解決するには、下記第二実施形態の壁面家具とすればよい。
【００３１】
［第二実施形態］
以下、図５〜図７を用いて、本発明の第二実施形態を例示説明する。図５は、第二実施形態の壁面家具12を壁面15に取付けて薄型大画面テレビ９等を設置した状態を示す斜視図であり、図６は図５の左側面図である。また、図７は図５の状態から架設キャビネットの前方にスライド移動したスクリーン90を壁面家具12の前方に垂下した状態を示す斜視図である。図５および図６に示すように、本実施形態の壁面家具12は、前記第一実施形態における構造に加え、目隠し化粧側板71L,71Rと目隠し化粧上板72を備える点で異なる。なお、図５〜図７において、前述した実施形態と同様の構成要素のうち主要なものについては同じ符号を付し、その説明を省略する。
【００３２】
目隠し化粧側板71L,71Rは、縦長状の板材であり、逆凹状キャビネット２の側方に面一状態に延設されている。具体的には、図６に示すように、逆凹状キャビネット２の側面と目隠し化粧側板71L（71R）の裏面とを三個のＬ字型金具73で固定して、目隠し化粧側板71L（71R）を、逆凹状キャビネット２の前面と面一状態となるように側面の前縁部から延設している。目隠し化粧側板71L,71Rは、本実施形態のように左右両方に設けることがデザイン面から好ましいが、片方だけの設置も可能である。
【００３３】
一方、目隠し化粧上板72は、横長状の板材であり、逆凹状キャビネット２の上方に面一状態に延設されている。壁面家具12が取付けられる部屋（空間）の天井面16と逆凹状キャビネット２の上面には隙間空間が生じる。目隠し化粧上板72は、この隙間空間を正面視から隠すような形状および大きさである。目隠し化粧側板71L,71Rと同様、逆凹状キャビネット２の上面と目隠し化粧上板72の裏面とをＬ字型金具73で固定して、目隠し化粧上板72を、逆凹状キャビネット２の前面と面一状態となるように上面の前縁部から延設している。図６に示すように、目隠し化粧上板72の存在により、突っ張り棒６が正面から視認されなくなる。
【００３４】
また、前述した第一実施形態と同様、本実施の形態でも、架設キャビネット４を構成するスクリーン収納キャビネット41には、巻着ケース内に巻着されたスクリーン90が、巻着ケースごと巻着収納されている。そして、巻着収納されたスクリーン90は、図７に示すように、巻着ケース92ごと左右の多段式スライドレール91L,91Rに案内されて架設キャビネット４の前方にスライド移動し、この位置で、自動又は手動により巻着ケース92内から巻き出され、壁面家具12の前方に垂下するのである。
【００３５】
上記第二実施形態の壁面家具では、背低の薄型大画面テレビや背低の熱帯魚水槽を設置した場合に、これらが人間の目線よりも低い位置に設置され好ましくない。これを解決するには、下記第三実施形態の壁面家具とすればよい。
【００３６】
［第三実施形態］
以下、図８を用いて、本発明の第二実施形態を例示説明する。図８は第三実施形態の壁面家具13を壁面15に取付けて背低の薄型大画面テレビ96等を設置した状態を示す斜視図である。本実施形態の壁面家具13は、前記第二実施形態における構造に加え、背低移動台８を備える点で異なる。なお、図８においても、前述した第一実施形態と同様の構成要素のうち主要なものについては同じ符号を付し、その説明を省略する。
【００３７】
背低移動台８は、大型設置物の設置空間10に投入設置できるよう、設置空間10の幅よりもわずかに狭い幅である。背低の薄型大画面テレビ96や熱帯魚水槽は背低移動台８に載置して、この背低移動台８ごと設置空間10に投入設置することで人間の目線に近付けることができる。背低移動台８の下側四隅には図示しない移動車輪が取付けられている。本実施の形態では、背低移動台８の奥行き寸法を設置空間10の奥行き寸法とほぼ同じ寸法にした。これによって、壁面家具としての一体性が高まる。背低移動台８の奥行き寸法を設置空間10の奥行き寸法より長くして、背低移動台８の前部を前方に突出させ、設置空間10から低移動台８を取り出しやすく構成することも考えられる。こうすると、大型設置物のメンテナンスや移動に便利である。しかし、壁面家具としての一体性を重視するならば、背低移動台８の奥行き寸法を、設置空間10の奥行き寸法とほぼ同じ寸法にすることが好ましい。
【００３８】
以上、特定の実施形態を参照して本発明を説明したが、本発明は上記実施形態に限定されるものではなく、当該技術分野における熟練者等により、本出願の願書に添付された特許請求の範囲から逸脱することなく、種々の変更及び修正が可能である。また、上記実施形態のほか、左右の背高キャビネット3L,3Rの底板下面側の前部に、高さ調節可能な調節足を設けてもよい。この調節足の高さを調節することで、壁面家具の上方側を壁面側に傾斜させて、より転倒しにくくすることもできる。
【図面の簡単な説明】
【００３９】
【図１】第一実施形態の壁面家具を示す一部分解斜視図である。
【図２】第一実施形態の壁面家具を示す斜視図である。
【図３】図１における逆凹状キャビネットの分解斜視図である。
【図４】図２の壁面家具を壁面に取付けて薄型大画面テレビ等を設置した状態を示す斜視図である。
【図５】第二実施形態の壁面家具を壁面に取付けて薄型大画面テレビ等を設置した状態を示す斜視図である。
【図６】図５の左側面図である。
【図７】図５の状態から架設キャビネットの前方にスライド移動したスクリーンを壁面家具の前方に垂下した状態を示す斜視図である。
【図８】第三実施形態の壁面家具を壁面に取付けて背低の薄型大画面テレビ等を設置した状態を示す斜視図である。
【符号の説明】
【００４０】
11,12,13    壁面家具
15          壁面
10        （大型設置物の）設置空間
100         貫通配線連孔
２          逆凹状キャビネット
20          貫通切欠部
3L,3R       背高キャビネット
30,50       配線孔
31L,31R     スピーカー載置空間
４          架設キャビネット
５          補強フード
53          長尺補強板
54          背面遮蔽板
６          突っ張り棒
71L,71R     目隠し化粧側板
72          目隠し化粧上板
８          背低移動台
９          薄型大画面テレビ
96          背低の薄型大画面テレビ
90          スクリーン
91L,91R     スライドレール
【図１】
2008023229.tif 000003
【図２】
2008023229.tif 000004
【図３】
2008023229.tif 000005
【図４】
2008023229.tif 000006
【図５】
2008023229.tif 000007
【図６】
2008023229.tif 000008
【図７】
2008023229.tif 000009
【図８】
2008023229.tif 000010